(57)【要約】【課題】クッション材を抹消したにも拘わらず、中継基板の反り、ガタツキ、振動（ビビリ）などを抑えることができる液晶モジュールを提供する。【解決手段】リアフレーム１の側板１ｄ（１ｆ）にセルガイド７を取付け、セルガイド７の上に液晶パネル８の端縁部を載置すると共に、チップオンフィルム９を介して液晶パネル８の端縁部に連なる中継基板１０をセルガイドの縦板部７ａに沿わせて取付けた液晶モジュールにおいて、セルガイド７の縦板下部７ｃの外側に凸部７ｄを設け、この凸部７ｄとセルガイドの縦板下部７ｃとによって中継基板１０の下端部を挟んだ構成とする。これにより、中継基板１０の反り、ガタツキ、振動（ビビリ）などを抑える。【選択図】図２
2010175704.tif 000002
【特許請求の範囲】
【請求項１】
リアフレームの側板にセルガイドを取付け、セルガイドの上に液晶パネルの端縁部を載置すると共に、チップオンフィルムを介して液晶パネルの端縁部に連なる中継基板をセルガイドの縦板部に沿わせて取付けた液晶モジュールにおいて、
上記セルガイドの縦板下部の外側に凸部を設け、この凸部とセルガイドの縦板下部とによって上記中継基板の下端部を挟んだことを特徴とする液晶モジュール。
【請求項２】
上記凸部と上記セルガイドの縦板下部とによって、上記中継基板の長さ方向中央部分の下端部を挟んだことを特徴とする請求項１に記載の液晶モジュール。
【請求項３】
上記凸部の両側において上記セルガイドの縦板下部から外側に向かって一対の突片を設けると共に、この突片間に下方に弾性的に湾曲変形可能なバネ板を設け、このバネ板の上に上記凸部を設けたことを特徴とする請求項１又は請求項２に記載の液晶モジュール。
【請求項４】
上記凸部が、外側斜め下方に傾斜する傾斜面と、上記中継基板の下端部に当接する垂直な当接面とを備えた、側面形状が略直角三角形の爪状凸部に形成されていることを特徴とする請求項１ないし請求項３のいずれかに記載の液晶モジュール。
【請求項５】
上記リアフレームの側板が逆Ｕ字状に折曲した二重側板であり、この二重側板の外側板の下端に下方から係止する係止爪を上記セルガイドの縦板下部の内側面から突設すると共に、この係止爪の両側においてセルガイドの縦板部に下端から上向きに切込溝を形成したことを特徴とする請求項１ないし請求項４のいずれかに記載の液晶モジュール。
【発明の詳細な説明】
【技術分野】
【０００１】
本発明は、大画面の液晶テレビに組み込まれる液晶モジュールに関し、特に、チップオンフィルムを介して液晶パネル（液晶セル）に連なる中継基板の固定手段を改善した液晶モジュールに関する。
【背景技術】
【０００２】
従来の液晶モジュールは、例えば、図６に示すように、リアフレーム１００の側板部１０１にセルガイド１０２を取付け、このセルガイド１０２の上に液晶パネル１０３の端縁部を載置すると共に、チップオンフィルム１０４を介して液晶パネル１０３の端縁部に連なる中継基板１０５をセルガイド１０２の縦板部１０２ａに沿わせて取付け、この中継基板１０５を取付けたセルガイド１０２とチップオンフィルム１０４と液晶パネル１０３の端縁部を覆うようにベゼル１０６を取付けている。そして、中継基板１０５にスポンジ状のクッション材１０７を貼り付け、このクッション材１０７をベゼル１０２の縦板部１０２ａに当てることによって、中継基板１０５の反り、ガタツキ、振動（ビビリ）などを抑えるようにしている。
【０００３】
また、ＦＰＣを介して液晶パネルに連なる中継基板を、筐体の外壁に形成された貫通孔開口部を覆うように筐体の外壁に設置し、筐体に形成された筒状リブとボスの先端面で中継基板を支持させて、中継基板とボスをビス止めした液晶モジュールも提案されている（特許文献１）。
【先行技術文献】
【特許文献】
【０００４】
【特許文献１】特開２００６−３９１５９号公報
【発明の概要】
【発明が解決しようとする課題】
【０００５】
しかしながら、図６に示す従来の液晶モジュールでは、中継基板１０５の反り、ガタツキ、振動などを抑えるクッション材１０７を中継基板１０５に貼り付ける必要があるため、部品点数や組立工数が増加し、コストアップを招くという問題があった。
【０００６】
また、前記特許文献１の液晶モジュールでは、中継基板をビス止めしているため、ビス止め作業に手間がかかり、組立作業性があまり良くないとい問題があった。
【０００７】
本発明は上記事情の下になされたもので、その解決しようとする課題は、クッション材を抹消したにも拘わらず、中継基板の反り、ガタツキ、振動（ビビリ）などを抑えることができ、しかも、ビス止めしないで中継基板をセルガイドに簡単に取付けることができる液晶モジュールを提供することにある。
【課題を解決するための手段】
【０００８】
上記課題を解決するため、本発明に係る液晶モジュールは、リアフレームの側板にセルガイドを取付け、セルガイドの上に液晶パネルの端縁部を載置すると共に、チップオンフィルムを介して液晶パネルの端縁部に連なる中継基板をセルガイドの縦板部に沿わせて取付けた液晶モジュールにおいて、上記セルガイドの縦板下部の外側に凸部を設け、この凸部とセルガイドの縦板下部とによって上記中継基板の下端部を挟んだことを特徴とするものである。
【０００９】
本発明の液晶モジュールにおいては、上記凸部と上記セルガイドの縦板下部とによって、上記中継基板の長さ方向中央部分の下端部を挟むことが望ましい。
【００１０】
また、上記凸部の両側において上記セルガイドの縦板下部から外側に向かって一対の突片を設けると共に、この突片間に下方に弾性的に湾曲変形可能なバネ板を設け、このバネ板の上に上記凸部を設けることが望ましい。
【００１１】
そして、上記凸部は、外側斜め下方に傾斜する傾斜面と、上記中継基板の下端部に当接する垂直な当接面とを備えた、側面形状が略直角三角形の爪状凸部に形成されていることが望ましい。
【００１２】
更に、上記リアフレームの側板が逆Ｕ字状に折曲した二重側板であり、この二重側板の外側板の下端に下方から係止する係止爪を上記セルガイドの縦板下部の内側面から突設すると共に、この係止爪の両側においてセルガイドの縦板部に下端から上向きに切込溝を形成することが望ましい。
【発明の効果】
【００１３】
本発明に係る液晶モジュールのように、セルガイドの縦板下部の外側に凸部を設け、この凸部とセルガイドの縦板下部で中継基板の下端部を挟むと、この凸部によって中継基板の外側への反りや、ガタツキ、振動などを抑えることができ、反りに起因するチップオンフィルムの断線を防ぐこともできる。従って、従来のクッション材を抹消できるので、部品点数や組立工数が少なくなり、コストダウンを図ることができる。
【００１４】
特に、上記凸部とセルガイドの縦板下部によって、中継基板の長さ方向中央部分の下端部を挟んだ液晶モジュールは、中継基板の反り、ガタツキ、振動などの抑制効果が最も有効に発揮されることになる。
【００１５】
また、セルガイドの縦板部に対する中継基板の取付けは、中継基板の上端をセルガイドの縦板上端部のフック部に引っ掛けて、該フック部を支点として中継基板を外側からセルガイドの縦板部の方に回動させ、強制的に上記凸部を乗り越えさせて、中継基板の下端部を上記凸部とセルガイドの縦板下部との間に挟むことによって行われるため、前記特許文献１のようにビス止めするものに比べると、中継基板の取付作業を簡単に行うことができる。
【００１６】
その場合、前記のように下方に弾性的に湾曲変形可能なバネ板を設けて、その上に凸部を設けてあると、回動させた中継基板の下端が凸部を乗り越えるときにバネ板が下方に弾性的に湾曲変形して凸部が下方に沈むため、中継基板が容易に凸部を乗り越えることが可能になって、中継基板の取付け作業性が一層向上するようになる。特に、凸部が、前記のように外側斜め下方に傾斜する傾斜面と、中継基板の下端部に当接する垂直な当接面とを備えた、側面形状が略直角三角形の爪状凸部に形成されていると、その傾斜面がガイド面の働きをして中継基板がスムーズに爪状凸部を乗り越えるため、中継基板の取付け作業性がより一層向上するようになる。そして、中継基板を取付けた後は、中継基板の下端部が爪状凸部の垂直な当接面とセルガイドの縦板下部との間に挟まれて、中継基板の反り、ガタツキ、振動（ビビリ）等が抑えられることになる。
【００１７】
また、本発明の液晶モジュールにおいて、前記のように、リアフレームの二重側板の外側板の下端に下方から係止する係止爪をセルガイドの縦板下部の内側面から突設すると共に、この係止爪の両側においてセルガイドの縦板部に下端から上向きに切込溝を形成したものは、セルガイドの双方の切込溝の間の縦板部にバネ性が付与され、その縦板下部の内側面に突設された係止爪をリアフレームの二重側板の外側板に下方から係止させることによって、セルガイドをリアフレームに簡単に取付けることが可能となる。
【図面の簡単な説明】
【００１８】
【図１】本発明の一実施形態に係る液晶モジュールの分解斜視図である。
【図２】同液晶モジュールの部分断面図である。
【図３】同液晶モジュールのセルガイドの部分斜視図である。
【図４】ベゼルを省略した同液晶モジュールの部分側面図である。
【図５】図４のＡ−Ａ線断面図である。
【図６】従来の液晶モジュールの部分断面図である。
【発明を実施するための形態】
【００１９】
まず、図１，図２を参照して、本実施形態の液晶モジュールの全体構成を概説する。本実施形態の液晶モジュールは、大画面の液晶テレビに組み込まれる大型の液晶モジュールであって、板金製の浅い箱型のリアフレーム１の内部には光反射シート２が設けられている。この光反射シート２の上には、Ｕ字状冷陰極管３が互いに平行に複数本（本実施形態では５本）配設されており、これらのＵ字状冷陰極管３は、光反射シート２の上からリアフレーム１の底板１ａに固定されたランプホルダー４の開環状保持部４ａに嵌合されて保持されている。
【００２０】
それぞれのＵ字状冷陰極管３の端部（給電端子側の端部）にはランプソケット３ａが取付けられており、これらのランプソケット３ａは、リアフレーム１の一方の短辺の側板１ｂに沿ってリアフレーム１の底板１ａに形成されたソケット嵌着用開口部（不図示）に嵌着固定されている。ランプソケット３ａを取付けたＵ字状冷陰極管３の端部は、ランプソケット３ａの陰影などよる明るさのバラツキを解消するために、リアフレーム１の一方の側板１ｂに取付けられるランプフレーム６ａで覆われるが、Ｕ字状冷陰極管３の反対側のＵ字状屈曲端部３ｂは、該Ｕ字状屈曲端部３ｂから発する光が有効利用されるように、リアフレーム１の反対側の側板１ｃに取付けられるランプフレーム６ｂから露出している。
【００２１】
リアフレーム１の長辺の側板１ｄ，１ｅは、いずれも逆Ｕ字状に折り曲げられて二重側板とされており、この二重側板１ｄ，１ｅの上面と前記ランプフレーム６ａ，６ｂのシート挿入溝（不図示）には、３枚の光学シート５ａ，５ｂ，５ｃの四周縁が載置または挿入されている。これらの光学シートは、Ｕ字状冷陰極管３から発せられる光を拡散して液晶パネル８に均一に照射する光拡散シートであって、上２枚の光学シート５ｂ，５ｃは薄い光拡散シートであるが、下側の光学シート５ａは撓みにくい厚手の光拡散シート（光拡散板）が使用されている。
【００２２】
上記光学シート５ａ，５ｂ，５ｃの長辺沿いの端縁は、リアフレーム１の長辺の二重側板１ｄ，１ｅに取付けられたセルガイド（液晶パネル支持材）７，７０で押さえられており、このセルガイド７，７０と、セルガイドを兼ねた前記ランプフレーム６ａ，６ｂの上には、液晶パネル（液晶セル）８の四周の端縁部が載置されている。
【００２３】
液晶パネル８の片方の長辺には、ソースドライバＩＣチップ９ａ（図２参照）を搭載した複数枚のチップオンフィルム９（ＣＯＦ）を介して二つの横長矩形状の中継基板１０（Ｘ−ＰＣＢ）が接続されており、この中継基板１０は、図２に示すように、セルガイド７の縦板部７ａに沿って取付けられている。また、液晶パネル８の片方の短辺には、ゲートドライバＩＣチップを搭載したチップオンフィルム９０を介して一つの横長矩形状の中継基板１１（Ｙ−ＰＣＢ）が接続されており、この中継基板１１（Ｙ−ＰＣＢ）は前記ランプホルダー６ｂの外側面に取付けられている。
【００２４】
そして、二本の長いベゼル１２ａ，１２ｂと二本の短いベゼル１３ａ，１３ｂを長方形枠状に組み合わせてリアフレーム１にビス止めすることにより、液晶モジュールの四周を上記ベゼルで取り囲み、図２に示すように、一方の長いベゼル１２ａによって、中継基板１０（Ｘ−ＰＣＢ）を取付けたセルガイド７と、チップオンフィルム９と、液晶パネル８の端縁部を覆っている。
【００２５】
この液晶モジュールの大きい特徴は、中継基板１０（Ｘ−ＰＣＢ）の固定の仕方にある。
【００２６】
即ち、この中継基板１０が取付けられるセルガイド７は、図２，図３に示すように、縦板部７ａと横板部７ｂを一体に形成した鉤形の断面形状を有する合成樹脂製の成形体であって、縦板下部７ｃ（縦板部７ａの下部）の外側には、中継基板１０の厚みと同一もしくは僅かに大きい間隔をあけて凸部７ｄが設けられており、また、縦板上端部には中継基板１０の上端部を引っ掛けるフック部７ｅが設けられている。図４に示すように、上記凸部７ｄは中継基板１０の長さ方向中央部の下端に位置するように設けられており、また、上記フック部７ｅはチップオンフィルム９の相互間に位置するように複数個設けられている。
【００２７】
図３に示すように、上記凸部７ｄの両側には、一対の突片７ｆ，７ｆがセルガイド７の縦板下部７ｃから外側に向かって突設されており、これらの突片７ｆ，７ｆ間には、下方に弾性的に湾曲変形可能なバネ板７ｇが設けられている。そして、このバネ板７ｇの中央部の上面に上記凸部７ｄが設けられている。上記凸部７ｄは、図２，図３に示すように、外側斜め下方に傾斜する傾斜面７０ｄと、中継基板１０の下端部に当接する垂直な当接面７１ｄとを備えた、側面形状が略直角三角形の爪状凸部に形成されている。
【００２８】
中継基板１０の取付けは、図２に仮想線で示すように、中継基板１０の上端をセルガイド７の縦板上端部のフック部７ｅに引っ掛けて、該フック部７ｅを支点として中継基板１０を外側からセルガイド７の縦板部７ａの方に回動させ、強制的に上記の爪状凸部７ｄを乗り越えさせて、中継基板１０の下端部を爪状凸部７ｄとセルガイドの縦板下部７ｃとの間に挟むことによって行われる。このとき、バネ板７ｇが下方に弾性的に湾曲変形して爪状凸部７ｄが下方に沈むため、中継基板１０の下端は容易に爪状凸部７ｄを乗り越えることができ、特に、爪状凸部７ｄの傾斜面７０ｄがガイド面の役目をするため、一層スムーズに乗り越えることができる。尚、中継基板１０の両端部の固定は、図４，図５に示すように、セルガイド７の縦板部７ａに突設された戻り防止爪付きの係止片７ｈ，７ｈを、中継基板１０の両端部に形成された孔１０ａに挿入し、係止片７ｈ，７ｈの戻り防止爪を孔縁部に係止させることによって行うようにしている。
【００２９】
この液晶モジュールは、上記のように中継基板１０の長さ方向中央部の下端部を、爪状凸部７ｄとセルガイド７の縦板下部７ｃとの間に挟み、中継基板１０の両端部を係止片７ｈ，７ｈで固定して取付けているため、爪状凸部７ｄの垂直な当接面７１ｄによって中継基板１０の外側への反りが抑えられ、中継基板１０のガタツキや振動（ビビリ）が抑えられると共に、中継基板１０の反りに起因するチップオンフィルム９の断線も防止されることになる。従って、従来のクッション材１０７を抹消できるので、その分だけ部品点数や組立工数が少なくなり、コストダウンを図ることが可能となる。また、中継基板１０をビス止めしないので、ビス止めするものに比べると、中継基板の取付作業を簡単に行うことができるようになる。
【００３０】
更に、この液晶モジュールは、図２，図３に示すように、セルガイド７の前記凸部７ｄと対向する縦板下部７ｃの内側面に、リアフレーム１の二重側板１ｄの外側板１ｆの下端に下方から係止する係止爪７ｉが突設されている。そして、この係止爪７ｉの両側において、セルガイド７の縦板部７ａに下端から上向きに切込溝７ｊ，７ｊを形成することにより、双方の切込溝７ｊ，７ｊの間の縦板部にバネ性が付与されている。このため、係止爪７ｉをリアフレームの二重側板の外側板１ｆに下方から係止させて、セルガイド７をリアフレーム１の二重側板１ｄに簡単、確実に取付けることが可能となり、また、中継基板１０の下端部を前記凸部７ｄとセルガイド７の縦板下部７ｃとの間に挟み易くなっている。
【００３１】
もう一方のセルガイド７０は、中継基板１０を取付けないので、上記凸部７ｄやバネ板７ｇなどを設けていないものが使用されているが、上記のセルガイド７を用いても勿論よい。
【００３２】
また、この液晶モジュールでは、もう一つの中継基板１１（Ｙ−ＰＣＢ）を取付けるランプフレーム６ｂの外側面下部の外側に、前記の凸部７やバネ板７ｇなどを設けていないが、必要とあらば、ランプフレーム６ｂの外側面下部の外側にも前記同様の爪状凸部やバネ板を設けて、中継基板１１の下端部を爪状凸部とランプフレーム６ｂの外側面下部との間に挟んで取付けるようにしてもよい。
【符号の説明】
【００３３】
１  リアフレーム
１ｄ  リアフレームの二重側板
１ｆ  二重側板の外側板
２    光反射シート
３    Ｕ字状冷陰極管
５ａ，５ｂ，５ｃ  光学シート
６ａ，６ｂ  ランプホルダー
７，７０  セルガイド
７ａ  セルガイドの縦板部
７ｃ  セルガイドの縦板下部
７ｄ  凸部（爪状凸部）
７ｅ  フック部
７ｆ  突片
７ｇ  バネ板
７ｉ  係止爪
７ｊ  切込溝
７０ｄ  爪状凸部の傾斜面
７１ｄ  爪状凸部の垂直な当接面
８    液晶パネル
９，９０  チップオンフィルム
１０  中継基板（Ｘ−ＰＣＢ）
１１  中継基板（Ｙ−ＰＣＢ）
１２ａ，１２ｂ  長いベゼル
１３ａ，１３ｂ  短いベゼル
【図１】
2010175704.tif 000003
【図２】
2010175704.tif 000004
【図３】
2010175704.tif 000005
【図４】
2010175704.tif 000006
【図５】
2010175704.tif 000007
【図６】
2010175704.tif 000008